(57)【要約】【課題】光源の過熱を抑制することができる光源アダプタ及び光源アダプタを備える顕微鏡を提供する。【解決手段】２光源アダプタ２０は照明装置１０とランプハウスＬＨ及び光ファイバＯＦとの間に配置され、ランプハウスＬＨ及び光ファイバＯＦを保持可能である。２光源アダプタ２０は、照明装置１１の照明光軸と直交する水平方向へ移動して、照明装置１１の照明光軸上にランプハウスＬＨ及び光ファイバＯＦのうちの１つを選択的に配置可能な移動部材２３を備えている。【選択図】図３
2008020582.tif 000002
【特許請求の範囲】
【請求項１】
顕微鏡本体に設けられた複数の光源と、この複数の光源からの光を観察試料に導く照明装置との間に配置され、前記照明装置と前記複数の光源とを連結する光源アダプタにおいて、
前記複数の光源を保持可能であるとともに前記照明装置の照明光軸と直交する方向へ移動可能であり、前記照明装置の照明光軸上に前記複数の光源のうち照明光として使用する１つの光源を選択的に配置可能な可動部材と、
前記複数の光源のうち照明光として選択されていない光源から出射された光が入射する位置に配置され、前記光を受ける反射率の低い受光部材と
を備えていることを特徴とする光源アダプタ。
【請求項２】
前記受光部材は、前記照明装置に固定される固定部材であり、
前記可動部材は前記固定部材に移動可能に支持されていることを特徴とする請求項１記載の光源アダプタ。
【請求項３】
前記可動部材に照明光軸と直交する方向の力を伝える操作部材が設けられていることを特徴とする請求項１又は２記載の光源アダプタ。
【請求項４】
前記可動部材はカバー部材で覆われていることを特徴とする請求項１〜３のいずれか１項記載の光源アダプタ。
【請求項５】
前記複数の光源のうちの２つの光源の一方はランプハウスであり、他方は光を導く光ファイバであることを特徴とする請求項１〜４のいずれか１項記載の光源アダプタ。
【請求項６】
請求項１〜５のいずれか１項記載の光源アダプタを備えていることを特徴とする顕微鏡。
【発明の詳細な説明】
【技術分野】
【０００１】
この発明は光源アダプタ及び光源アダプタを備える顕微鏡に関する。
【背景技術】
【０００２】
通常、１つの照明装置に対して１つの光源が用いられる。また、観察目的に応じて使用される光源を交換する。これに対し、光源を頻繁に交換しなければならない煩雑さを解消し得る従来技術として、２光源アダプタを照明装置と２つの光源との間に配置し、観察目的に応じて２つの光源を切り換えていずれか一方の光源からの光を照明装置へ選択的に導くようにしたものがある（下記公報参照）。通常、一方の光源からの照明光を使用する場合、他方の光源に切り替えた時、即他方の照明光を使用可能状態とさせるために非常用の光源もオンの状態で待機させておく。
【０００３】
例えば、蛍光観察には水銀ランプとキセノンランプとの２種類の光源が使用され、２つの光源の切換は照明装置と２つの光源との間に配置されたミラーを用いて行われる。
【特許文献１】特開２００２−２０２４５８号公報
【発明の開示】
【発明が解決しようとする課題】
【０００４】
しかし、上記２光源アダプタには、ミラーによって一方のランプの光路が遮断されたとき、光の一部がミラーで反射されて再びランプに戻り、ランプやランプハウスの温度が過度に上昇し、ランプの寿命が短くなるという問題があった。
【０００５】
この発明はこのような事情に鑑みてなされたもので、その課題は光源の過度の温度上昇を抑制することができる光源アダプタ及び光源アダプタを備える顕微鏡を提供することである。
【課題を解決するための手段】
【０００６】
上記課題を解決するため請求項１記載の発明は、顕微鏡本体に設けられた複数の光源と、この複数の光源からの光を観察試料に導く照明装置との間に配置され、前記照明装置と前記複数の光源とを連結する光源アダプタにおいて、前記複数の光源を保持可能であるとともに前記照明装置の照明光軸と直交する方向へ移動可能であり、前記照明装置の照明光軸上に前記複数の光源のうち照明光として使用する１つの光源を選択的に配置可能な可動部材と、前記複数の光源のうち照明光として選択されていない光源から出射された光が入射する位置に配置され、前記光を受ける反射率の低い受光部材とを備えていることを特徴とする。
【発明の効果】
【０００７】
この発明によれば、光源の過度の温度上昇を抑制することができる。
【発明を実施するための最良の形態】
【０００８】
以下、この発明の実施の形態を図面に基づいて説明する。
【０００９】
図１（ａ）はこの発明の一実施形態に係る光源アダプタを備えた顕微鏡の照明装置の照明光軸上にランプハウスを配置したときの平面図、図１（ｂ）はその側面図、図２は光源アダプタを備えた顕微鏡の照明装置の照明光軸上に光ファイバを配置したときの平面図である。
【００１０】
顕微鏡ＭＳは、照明装置１０と、照明装置１０の一端に取り付けられた２光源アダプタ（光源アダプタ）２０と、照明装置１０の他端部に取り付けられた鏡筒３０と、照明装置１０の他端の下面に取り付けられたレボルバ装置４０と、照明装置１０を支持する支持部５０と、ステージ６０とを備えている。
【００１１】
２光源アダプタ２０はランプハウス（光源）ＬＨ及び光ファイバ（光源）ＯＦを保持する。本実施形態では２光源アダプタ２０の側面には光源としてのランプハウスＬＨ及び光ファイバＯＦの一方を照明装置１０の照明光軸上に選択的に配置させるためのつまみ２１が設けられている。また、電動切り替えにすることも可能である。
【００１２】
鏡筒３０は接眼レンズ３１を有する。
【００１３】
レボルバ装置４０は複数の対物レンズ４１を有する。
【００１４】
図３はランプハウスが照明光軸上にあるときの２光源アダプタの断面図、図４は図３のＡ−Ａ線に沿う断面図、図５は図３のＢ−Ｂ線に沿う断面図、図６は図３のＣ−Ｃ線に沿う断面を示す概念図、図７は光ファイバが照明光軸上にあるときの２光源アダプタの断面図、図８は図７のＤ−Ｄ線に沿う断面を示す概念図である。
【００１５】
２光源アダプタ２０はベース部材（固定部材）２２と移動部材（可動部材）２３とを備えている。ベース部材２２のマウント部３１ａが照明装置１０のマウント部（図示せず）に嵌合した状態で、ベース部材２２がねじ（図示せず）によって照明装置１０に固定されている。ベース部材２２をヒートシンクとしても機能させるため、熱伝導率の高い材料を用い、その表面（ランプハウスＬＨ、光ファイバＯＦの出射端と対向する面）に光を吸収する黒色の着色を施すのが好ましい。
【００１６】
移動部材２３はコロレース部２４ａ，２４ｂを介してベース部材２２に接続されている。移動部材２３はガイド部２３Ａに沿って水平方向かつ照明装置１０の照明光軸と直交する方向（図３の上下方向）へ移動可能である。なお、移動部材２３は図示しないクリック機構によってベース部材２２に対して所定位置に位置決めすることができる。
【００１７】
移動部材２３にはランプハウスＬＨ取付用のマウント２５と光ファイバＯＦ取付用のファイバ取付部材２６とが固定されている。図３では、ランプハウスＬＨの光軸はマウント２５の中心軸と一致している。
【００１８】
ファイバ取付部材２６にはＩＲ（Ｉｎｆｒａｒｅｄ）カットフィルタ２６ａ、集光レンズ２６ｂが分離環２６ｃとともに保持されている。光ファイバＯＦの出射端から出射された光が照明装置１０に導かれるまでにＩＲ光は除去される。
【００１９】
また、移動部材２３には樹脂製の断熱部材２８を介してカバー部材７０が取付られている。カバー部材７０の上面には複数の孔７１が形成されている（図１、２参照）。なお、カバー部材７０の下面にも複数の孔（図示せず）が形成されており、放熱効果がもたらされる。
【００２０】
移動部材２３にはカバー部材７０を水平に貫通する連結棒２９を介してつまみ２１が取り付けられている。つまみ２１と連結棒２９とで操作部材が構成される。つまみ２１を操作することによって移動部材２３がカバー部材７０とともに照明装置１０の照明光軸と直交する水平方向へ移動する。
【００２１】
図３に示す位置にランプハウスＬＨがあるとき、照明光として使用していない光ファイバＯＦの出射端から射出された光はベース部材２２に吸収され、ほとんど光ファイバＯＦに戻らない。他方、ベース部材２２の温度が上昇する。ベース部材２２とカバー部材７０内へ流入した空気との間で熱交換が行われ、ベース部材２２から熱を奪った空気は孔７１を介してカバー部材７０の外部へ放出される。その結果、ベース部材２２が冷却される。
【００２２】
照明装置１０の照明光軸上の光源をランプハウスＬＨから光ファイバＯＦに切換えるときには、つまみ２１を操作して図３に示す位置から図７に示す位置へ移動部材２３を移動させればよい。
【００２３】
このとき、ランプハウスＬＨから出射された光はベース部材２２に吸収され、ベース部材２２の温度が上昇するが、光ファイバＯＦが照明光軸上に配置されたときと同様に、ベース部材２２の温度上昇は抑制される。
【００２４】
この実施形態によれば、照明光として選択されなかった光源（ランプハウスＬＨ又は光ファイバＯＦ）から出射された状態の光はベース部材２２に略吸収されるため、再び光源に戻らない。その結果、光源の過度の温度上昇を抑制することができ、光源の長寿命化を図ることができる。  また、ベース部材２２で吸収され、ベース部材２２に発生した熱は速やかに外部へ放出される。
【００２５】
また、従来例のように照明光として使用する光源の切換えにミラーを用いないので、２光源アダプタ２０の照明光軸方向の寸法を小さくすることができる。その結果、照明装置１０にかかるモーメントを小さくできるので、照明装置の顕微鏡本体への取付け時の故障を軽減できるとともに、つまみ２１を検鏡者の近くに配置でき操作性を向上させることができる。また、照明光軸方向の寸法が小さくなることから２光源アダプタ２０の小型化を図ることができる。更に、ミラー等の光学部材を用いないことからミラーを使用した場合と比べ製造コストの低減を図ることができる。
【００２６】
更に、カバー部材７０が移動部材２３に固定されているので、光源を切換えたとき、カバー部材７０が移動部材２３とともに移動するので、いずれの光源が照明装置１０の光軸上に配置しているかを視覚的に容易に判断することができ使用する照明光を誤ることを防止することができるとともに、高温になるベース部材２２が常にカバー部材７０内に収納されるので、２光源アダプタ２０の後方から誤って手で触ってしまうことを防止することができる。
【００２７】
また、２光源アダプタ２０の照明光軸方向の寸法が小さいので、照明装置１０の取付面１０ａとランプハウスＬＨの取付面ＬＨａ（図３参照）との平行度を確保し易い。したがって、ランプハウスＬＨの心だし機構を不要にできるので、製造コストを低減することができる。光ファイバＯＦは通常心だし機構を持たないので、光ファイバＯＦを光源として用いる場合に特に有効である。
【００２８】
なお、上記実施形態では２つの光源としてランプハウスＬＨと光ファイバＯＦを用いたが、光ファイバＯＦを用いずに２つともランプハウスＬＨとしたり、逆にランプハウスＬＨを用いずに２つとも光ファイバＯＦとしたりしてもよい。
【００２９】
また、光源の数は２つに限られるものではなく、３つ以上であってもよい。
【図面の簡単な説明】
【００３０】
【図１】図１（ａ）はこの発明の一実施形態に係る光源アダプタを備えた顕微鏡の照明装置の照明光軸上にランプハウスを配置したときの平面図、図１（ｂ）はその側面図である。
【図２】図２は光源アダプタを備えた顕微鏡の照明装置の照明光軸上に光ファイバを配置したときの平面図である。
【図３】図３はランプハウスが照明光軸上にあるときの２光源アダプタの断面図である。
【図４】図４は図３のＡ−Ａ線に沿う断面図である。
【図５】図５は図３のＢ−Ｂ線に沿う断面図である。
【図６】図６は図３のＣ−Ｃ線に沿う断面を示す概念図である。
【図７】図７は光ファイバが照明光軸上にあるときの２光源アダプタの断面図である。
【図８】図８は図７のＤ−Ｄ線に沿う断面を示す概念図である。
【符号の説明】
【００３１】
１０：照明装置、２０：２光源アダプタ（光源アダプタ）、２１：つまみ、２２：ベース部材（固定部材）、２３：移動部材（可動部材）、２９：連結棒、７０：カバー部材、ＬＨ：ランプハウス（光源）、ＭＳ：顕微鏡、ＯＦ：光ファイバ（光源）。
【図１】
2008020582.tif 000003
【図２】
2008020582.tif 000004
【図３】
2008020582.tif 000005
【図４】
2008020582.tif 000006
【図５】
2008020582.tif 000007
【図６】
2008020582.tif 000008
【図７】
2008020582.tif 000009
【図８】
2008020582.tif 000010